(57)【要約】【課題】比較的小さい除電空間に効率的に濃いイオン濃度の空間を形成することができる対向式除電器を提供する。【解決手段】本発明は、極性の違う放電針が除電対象空間を挟んで３００ｍｍ以内の距離で対向する対向式除電器である。また、本発明は、極性の違う放電針が除電対象空間を挟んで３００ｍｍ以内の距離で対向する複数の放電針対が放電針の軸方向に対し直角方向に線状（帯状）に並んでいる対向式除電器である。さらにまた、本発明は、極性の違う放電針が除電対象空間を挟んで３００ｍｍ以内の距離で対向する複数の放電針が線（帯）に対し並列方向に面状に並んでいる対向式除電器である。【選択図】  図１
2006351454.tif 000002
【特許請求の範囲】
【請求項１】
極性の違う放電針が除電対象空間を挟んで３００ｍｍ以内の距離で対向することを特徴とする対向式除電器。
【請求項２】
極性の違う放電針が除電対象空間を挟んで３００ｍｍ以内の距離で対向する複数の放電針対が放電針の軸方向に対し直角方向に線状（帯状）に並んでいることを特徴とする対向式除電器。
【請求項３】
極性の違う放電針が除電対象空間を挟んで３００ｍｍ以内の距離で対向する複数の放電針が線（帯）に対し並列方向に面状に並んでいることを特徴とする対向式除電器。
【請求項４】
隣接する放電針は逆極性であることを特徴とする請求項１乃至３のいずれか１つに記載の対向式除電器。
【請求項５】
各放電針への印加電圧は直流であることを特徴とする請求項１乃至４のいずれか１つに記載の対向式除電器。
【請求項６】
各放電針への印加電圧は、その極性が同期して逆転することを特徴とする請求項１乃至４のいずれか１つに記載の対向式除電器。
【発明の詳細な説明】
【技術分野】
【０００１】
本発明は、対向式除電器に関する。
【背景技術】
【０００２】
従来技術として、下記のような対向式除電器が提案されている。そのうちの１つは、図６（図６ａは正面図であり、図６ｂは側面図であり、図６ｃは平面図である）に示すように２つの棒状のイオン発生電極１０が３００ｍｍ以上の距離を置いて互いに対向するように配置され、互いに逆極性の電圧をかけることによって互いに逆極性のイオンを放射するようになっている。対向するイオン発生電極が逆極性のイオンを放射するので、放射されたイオンは互いに引き合い、遠方まで飛ぶことになる。そして所定の時間間隔でその極性が同時に切り替わるものである。尚，隣接するイオン（放電針から放射されるイオン）は、同極性である。なお、矢印は発生したイオンの流れを表すものである。
【０００３】
別の例では図７（図７ａは正面図であり、図７ｂは平面図である）に示すようにイオン発生電極１０が４本あり、各電極は等間隔で２次元的に配置されている。
【０００４】
さらに別の例では図８（図８ａは正面図であり、図８ｂは側面図であり、図８ｃは平面図である）に示すようにイオン発生電極１０が６本あり、各電極は等間隔で２次元的に配置されている。
【０００５】
さらに別の例では図９（図９ａは正面図であり，図９ｂは平面図である）に示すようにイオン発生電極１０が９本あり、各電極は等間隔で２次元的に配置されている。
【０００６】
このように従来技術は広い空間にイオン発生電極を等間隔に配置し、イオン濃度は薄いが、イオン分布は均一なイオン空間を形成していた。
【発明の開示】
【発明が解決しようとする課題】
【０００７】
従来技術では、広い空間にイオン分布が均一なイオン空間を与えるものであるが、比較的小さい除電空間に効率的に濃いイオン濃度の空間を形成することはできなかった。
【０００８】
したがって、本発明の目的は、比較的小さい除電空間に効率的に濃いイオン濃度の空間を形成することができる対向式除電器を提供することにある。
【課題を解決するための手段】
【０００９】
本発明は、極性の違う放電針が除電対象空間を挟んで３００ｍｍ以内の距離で対向することを特徴とする対向式除電器である。また、本発明は、極性の違う放電針が除電対象空間を挟んで３００ｍｍ以内の距離で対向する複数の放電針対が放電針の軸方向に対し直角方向に線状（帯状）に並んでいることを特徴とする対向式除電器である。さらにまた、本発明は、極性の違う放電針が除電対象空間を挟んで３００ｍｍ以内の距離で対向する複数の放電針が線（帯）に対し並列方向に面状に並んでいることを特徴とする対向式除電器である。
【発明の効果】
【００１０】
本発明によれば、比較的小さい除電空間に効率的に濃いイオン濃度の空間を形成することができる対向式除電器が得られる。
【発明を実施するための最良の形態】
【００１１】
本発明では、対向する放電針の間隔に対し、隣り合う放電針の間隔を広くして、対向する放電針の間に比較的小さな除電対象空間に対してイオン濃度を高くする。
【実施例】
【００１２】
（実施例１）
図１は実施例１の対向式除電器を示す。対向する１対の放電針１２があり、互いに逆極性の電圧が掛けられて逆極性のイオンを放射する。イオン極性は変化しない直流式（図４参照）でも良いし、同時に変化する交流式またはパルス式（図５参照）でも良い。放電針１２は比較的近距離に配置されていて十電極から放射される＋イオンと一電極から放射される一イオンとがお互いに引き合い、放電針間に誘導されイオン濃度の高い除電対象空間を形成している。除電対象物１４（図２参照）はこの空間を高速で通過しても、確実に除電される。
（実施例２）
図２は実施例２の対向式除電器を示す。実施例１で示した放電針１２の対が連続的に並べられている。したがって除電対象空間は実施例１より広くなる。この実施例では、例えば除電対象物１４が図２の上から下に向かって高速で通過するとすると、除電対象物１４の左半分は、まず放電針１２ａより＋のイオンを浴び、次に放電針１２ｂより−のイオンを浴び、次に放電針１２ｃより＋のイオンを浴びる。このように＋と−の両方のイオンを浴びることが出来るので、＋の静電気であろうと、−の静電気であろうと全て除電できる。
【００１３】
また、除電対象物１４の右半分は、放電針１２ｄ、１２ｅ、１２ｆで、−、＋、−のイオンを浴びるので、やはり＋の静電気であろうと、−の静電気であろうと全て除電できる。
（実施例３）
図３は実施例３の対向式除電器を示す。実施例３は、実施例２で示す除電器を上下に積み重ねたものである。実施例２が２次元的な平面的な除電対象空間を形成したのに対し、この例では３次元的な除電対象空間を形成する。即ち大きな除電対象物を除電する場合に適し、また除電対象物が通過する場所やルートがばらついていて、どこを通るか分からない場合で広い除電空間を要する場合に適する。
（実施例４）
図４は対向式除電器に印加する電圧の１つ例を示す。各放電針に印加する電圧は極性が変化しない直流式であっても良い。この場合、イオンの濃度、密度は非常に高く出来るので除電応力は強力である。場所によるイオンバランスが悪いので、強力かつ高速で、荒い除電をする場合に適する。逆に十分に時間をかけた精密除電には適さない。
【００１４】
図５は対向式除電器に印加する電圧の他の１つ例を示す。各放電針に印加する電圧は交互に極性が変化する交流式またはパルス式であっても良い。この場合、除電対象空間が一様なイオンバランスになるので、精密除電に適する。逆にイオン極性切り替えにより、＋、−イオンが再結合しやすく、したがってイオン濃度はやや低くなるため、非常に高速除電には向かないこともある。
【図面の簡単な説明】
【００１５】
【図１】実施例１の対向式除電器を示す。
【図２】実施例２の対向式除電器を示す。
【図３】実施例３の対向式除電器を示す。
【図４】対向式除電器に印加する電圧の１つ例を示す。
【図５】対向式除電器に印加する電圧の他の１つ例を示す。
【図６】従来例の対向式除電器を示し、図６ａは正面図であり、図６ｂは側面図であり、図６ｃは平面図である。
【図７】従来例の対向式除電器を示し、図７ａは正面図であり、図７ｂは平面図である。
【図８】従来例の対向式除電器を示し、図８ａは正面図であり、図８ｂは側面図であり、図８ｃは平面図である。
【図９】従来例の対向式除電器を示し、図９ａは正面図であり，図９ｂは平面図である。
【符号の説明】
【００１６】
１０    イオン発生電極
１２    放電針
１４    除電対象物
１６    除電対象空間
【図１】
2006351454.tif 000003
【図２】
2006351454.tif 000004
【図３】
2006351454.tif 000005
【図４】
2006351454.tif 000006
【図５】
2006351454.tif 000007
【図６】
2006351454.tif 000008
【図７】
2006351454.tif 000009
【図８】
2006351454.tif 000010
【図９】
2006351454.tif 000011